(57)【要約】【課題】  定額制インターネットアクセスを利用しデータ通信費をデータ量に関係なく安価で多機能な電子広告を提供する。【解決手段】  電子広告データを保持し電子広告データを配信する電子広告配信中央局と、電子広告配信中央局から広告を受信し広告を表示するための映像表示器を有する電子広告端末局と、電子広告配信中央局と電子広告端末局とを接続する料金が定額制のインターネット回線などと通信を行う機能を有する電子広告配信システムであって、電子広告配信中央局は、定額制のインターネット回線などを介した電子メールにより、電子広告端末局へ、新しい電子広告データをダウンロードする指示を送信し、電子広告端末局は、電子広告配信中央局に定額制のインターネット回線を介して接続して、電子広告配信中央局から新しい電子広告データをダウンロードし、電子広告端末局は、ダウンロードした電子広告データを映像表示器に表示することを特徴とする。【選択図】  図１
2011154625.tif 000002
【特許請求の範囲】
【請求項１】
電子広告データを保持し、電子広告データを配信する、電子広告配信中央局と、
前記電子広告配信中央局から広告を受信し、広告を表示するための映像表示器を有する、電子広告端末局と、
前記電子広告配信中央局と前記電子広告端末局とを接続する、料金が定額制のインターネット回線などを使用してデータ配信を行う通信機能と、
を有する電子広告配信システムであって、
前記電子広告配信中央局は、前記定額制のインターネット回線などを介した電子メールにより、前記電子広告端末局へ、新しい電子広告データをダウンロードする指示を送信し、
前記電子広告端末局は、前記電子広告配信中央局に前記定額制のインターネット回線を介して接続して、前記電子広告配信中央局から新しい電子広告データをダウンロードし、
前記電子広告端末局は、ダウンロードした電子広告データを映像表示器に表示する
ことを特徴とする電子広告配信システム。
【請求項２】
前記電子広告配信中央局は、前記定額制のインターネット回線を介した電子メールにより、前記電子広告端末局へ、臨時ニュースや気象警報などの速報データを配信し、
前記電子広告端末局は、配信された前記速報データを前記映像表示器に表示することを特徴とする請求項１に記載の電子広告配信システム。
【請求項３】
前記電子広告配信中央局は、前記定額制のインターネット回線を介した電子メールにより、前記電子広告端末局へ、電子広告の表示時間と広告回数の指示を送信し、
前記電子広告端末局は、送信された前記電子広告の表示時間と広告回数に基づいて、時刻を補正し、映像表示器に時刻表示を行い、併せて電子広告の時間および時間帯を管理し、
前記電子広告端末局は、前記定額制のインターネット回線などを介した電子メールにより、前記電子広告配信中央局へ、広告結果を送信し、
前記電子広告配信中央局は、送信された前記広告結果に基づいて、課金の調整を行うことを特徴とする請求項１または２に記載の電子広告配信システム。
【請求項４】
前記電子広告端末局は移動する車両内に備わり、前記電子広告端末局は車両内の乗客が保有する端末との通信手段をさらに備え、電子広告配信と社内に乗車している乗客からのインターネットアクセスを前記通信手段を介して可能とすることを特徴とする請求項１から３のいずれかに記載の電子広告配信システム。
【請求項５】
前記電子広告端末局は、車両位置情報を把握するための車両位置確認手段をさらに備え、
前記電子広告端末局は、前記定額制のインターネット回線などを介した電子メールにより、車両位置情報を、前記電子広告配信中央局に送信し、
前記電子広告配信中央局は、前記車両位置情報に基づいて地域広告を選択し、前記定額制のインターネット回線を介した電子メールにより、選択された地域広告を表示する指示を、前記電子広告端末局へ送信することを特徴とする請求項１から４のいずれかに記載の電子広告配信システム。
【請求項６】
前記電子広告端末局は、非常時などに画像を収集するカメラをさらに有し、前記電子広告端末局は収集した画像を、前記定額制のインターネット回線などを介した電子メールにより、前記電子広告配信中央局へ送信することを特徴とする請求項１から５のいずれかに記載の電子広告配信システム。
【発明の詳細な説明】
【技術分野】
【０００１】
本発明は、電子広告配信システムに係わり、特に、インターネットサービスを利用した電子メールによる制御・応答と、端末からインターネットを介してサーバ上の電子広告データをダウンロードすることでデータ配信を行う電子広告配信システムに関するものである。
【背景技術】
【０００２】
従来の電子広告配信システムでは、例えば、予め記録された情報を繰り返し表示するもの（例えば、記録方式）と、デジタル専用線を設置し常時電子広告データが配信されるもの（例えば、配信方式）を用いていたため以下の問題があった。
【０００３】
記録方式の電子広告配信システムでは、同じ情報の繰り返しによる広告を行い、広告内容の変更は装置まで出向き変更するなどの対応が必要なため、固定的な広告内容となり広告効果の面で課題があり、また、頻繁に広告内容の変更を行うためには広告運用費用の負担が大きくなるという課題があった。
【０００４】
配信方式では、電子広告システムの導入に際してデジタル汎用回線の引き込み工事が必要になり設置工事に課題があり、また、オンラインのデータ更新が従量制を取るものが多く、広告効果を得るためにはデータ通信費用が増大し、運用費用の面で課題があった。
【０００５】
また、他の電子広告配信システムとしては、顧客の携帯電話などへの電子広告データ配信が主である。
【先行技術文献】
【特許文献】
【０００６】
【特許文献１】特開２００９−１２３１４２号公報
【発明の概要】
【発明が解決しようとする課題】
【０００７】
しかしながら、公共施設などでの不特定多数の顧客向けに電子広告配信を行うシステムでの広告データの配信方法について効率的なシステムを実現したものは無い。また、高速のデジタル専用線などを用いた場合には、広告効果と専用通信回線を使用した場合の運用費用を比べた投資効果に課題があった。
【０００８】
本発明は、このような従来の問題を解決するためになされたもので、各種インターネットアクセスサービスを利用し、特に料金がデータ従量制ではなく定額制インターネットサービス、例えば、携帯型無線データ通信、ＡＤＳＬデータ通信、光ファイバデータ通信などのインターネット接続サービスを利用して、その制御に電子メールを使用し、電子広告端末局および移動車両電子広告端末局にて定額制インターネットサービスを利用して、サーバの電子広告データなどのダウンロードを実現するものである。
【課題を解決するための手段】
【０００９】
本発明は、電子広告データを保持し電子広告データを配信する電子広告配信中央局と、電子広告配信中央局から広告を受信し広告を表示するための映像表示器を有する電子広告端末局と、電子広告配信中央局と電子広告端末局とを接続する料金がデータ従量制ではなく定額制のインターネット回線とを有する電子広告配信システムであって、電子広告配信中央局は、定額制のインターネット回線を介した電子メールにより、電子広告端末局へ、新しい電子広告データをダウンロードする指示を送信し、電子広告端末局は、電子広告配信中央局に定額制のインターネット回線を介して接続して、電子広告配信中央局から新しい電子広告データをダウンロードし、電子広告端末局は、ダウンロードした電子広告データを映像表示器に表示することを特徴とする。
【発明の効果】
【００１０】
本発明の電子広告配信システムによれば、インターネットアクセスサービスの定額制データ通信手段を使用することで、電子広告端末数による通信費増大を抑え、広告収入による多目的な情報配信と情報収集を行うことが可能となる。
【図面の簡単な説明】
【００１１】
【図１】本実施形態の電子広告配信システムの構成例である。
【図２】本実施形態の電子広告配信中央局−電子広告端末局間の配信方法例である。
【図３】本実施形態の電子広告配信中央局−電子広告端末局間の速報データ配信方法例である。
【図４】本実施形態の電子広告の時間・回数指示の配信方法例である。
【図５】本実施形態の移動車両電子広告端末局内の無線ＬＡＮインターネット接続の構成例である。
【図６】本実施形態の移動車両電子広告端末局内の位置情報による地域広告の構成例である。
【図７】本実施形態の電子広告端末局内の画像収集カメラによるセキュリティの構成例である。
【発明を実施するための形態】
【００１２】
以下に、本発明の実施形態である電子広告配信システムについて、図を参照して説明をする。
【００１３】
図１は、本実施形態の電子広告配信システム１００の構成を示す図である。まず、本実施形態の電子広告配信システム１００の処理を起動する電子広告配信中央局１０１について説明する。
【００１４】
電子広告配信中央局１０１は、処理の制御を行う電子広告配信サーバ１１、電子広告データを蓄積させる電子広告蓄積サーバ１２の群、運用状況を監視する電子広告配信端末１３、インターネット接続を行うデジタル回線のアクセスルータ１４、及び、ＡＤＳＬ回線、光ファイバ回線などのデジタル回線１５から構成される。
【００１５】
電子広告配信サーバ１１は、システム全体の運用を管理するもので、後述する広告主端末１０２からの電子広告登録、確認を行い、電子メールなどを用いて、後述する電子広告端末局１０３および移動車両電子広告端末局１０４など複数の端末装置への電子広告などの配信を管理する。
【００１６】
電子広告蓄積サーバ１２は、広告主端末１０２から電子広告配信サーバ１１が受け付けた新規に登録される電子広告データ２１を蓄積する。
【００１７】
電子広告配信端末１３は、広告主端末１０２を保有しない広告主の電子広告データ２１の登録、広告以外の電子データの登録、広告主との契約に基づく広告時間、広告時間帯の設定などを行う。
【００１８】
アクセスルータ１４は、電子広告配信中央局１０１がインターネットに接続するためのデジタル回線１５の接続を行う。デジタル回線１５については、ＡＤＳＬ回線、光ファイバ回線などデジタルデータ通信が可能なものとなる。
【００１９】
次に、広告主端末１０２について簡単に説明する。広告主端末１０２は、電子広告を行う電子広告データ２１、新規の電子広告を登録する電子広告登録端末２２、電子広告配信中央局１０１に電子広告データ２１を転送するためのアクセスルータ２３、及び、ＡＤＳＬ回線、光ファイバ回線などのデジタル回線２４から構成される。
【００２０】
電子広告データ２１は、広告主が新規に登録する電子広告データであり、最終的に電子広告配信中央局１０１の電子広告蓄積サーバ１２に登録される。
【００２１】
電子広告登録端末２２は、広告主が契約に基づき新規の電子広告データ２１および広告時間、広告時間帯を設定する。
【００２２】
アクセスルータ２３は、広告主端末１０２がインターネットに接続するためのデジタル回線２４の接続を行う。デジタル回線２４については、ＡＤＳＬ回線、光ファイバ回線などデジタルデータ通信が可能なものとなる。
【００２３】
次に、電子広告端末局１０３について簡単に説明する。電子広告端末局１０３は、電子広告データのダウンローディング、運用などを行う電子広告端末３１、電子広告データを表示する大型映像表示器３２、無線ＬＡＮを介してインターネット接続することを可能とする無線ＬＡＮ３３、インターネットとの無線通信を実現する携帯端末回線３４、及び、インターネットとの有線通信を実現するデジタル回線３５から構成される。
【００２４】
電子広告端末３１は、電子広告配信中央局１０１から電子メールで指示された、電子広告データ２１のダウンローディング、時刻補正、表示スケジュール管理、速報データによる臨時ニュース表示などを制御、実行する。
【００２５】
大型映像表示器３２は、電子広告端末３１から指示された電子広告データ２１、時刻データ、臨時ニュースなどの表示を行い、その結果を電子広告端末３１に返送する。
【００２６】
携帯端末回線３４は、電子広告端末局１０３が無線で接続されている場合のインターネット接続を行うもので使用料金が定額制の携帯情報端末などを用いる。
【００２７】
デジタル回線３５は、電子広告端末３１が有線で接続されている場合のインターネット接続を行うもので使用料金が定額制のＡＤＳＬ回線、光ファイバ回線などを用いる。
【００２８】
次に移動車両電子広告端末１０４について簡単に説明する。移動車両電子広告端末１０４は、電子広告データのダウンローディング、運用などを行う電子広告端末４１、電子広告データを表示する車内映像表示器４２、無線ＬＡＮを介してインターネット接続することを可能とする車内無線ＬＡＮ４３、及び、インターネットとの無線通信を実現する携帯端末回線４４から構成される。
【００２９】
電子広告端末４１は、電子広告配信中央局１０１から電子メールで指示された、電子広告データ２１のダウンローディング、時刻補正、表示スケジュール、速報データによる臨時ニュースなどを実行する。
【００３０】
車内映像表示器４２は、電子広告端末４１から指示された電子広告データ２１、時刻データ、臨時ニュースなどの表示を行い、その結果を電子広告端末４１に返送する。
【００３１】
携帯端末回線４４は、移動車両電子広告端末局１０４が無線で接続されている場合のインターネット接続を行うもので使用料金が定額制の携帯情報端末などを用いる。
【００３２】
次に、本実施形態の電子広告配信システムの実際の動作について説明をする。図２は、本実施形態の電子広告配信中央局１０１と電子広告端末局１０３間のデータ配信例を示す図である。
【００３３】
電子広告配信中央局１０１は、新たな電子広告データが登録された場合に、該当する電子広告端末局１０３に対して電子メール・配信通知５１を送信する。
【００３４】
電子メール・配信通知５１は、インターネット１０５を介して該当する電子広告端末局１０３にメール配信される。
【００３５】
電子メール・配信通知５１を受信した該当する電子広告端末局１０３は、そのメールの内容により新たな電子広告データが登録されたことを確認し、インターネット１０５を介して電子広告配信中央局１０１に対して電子メール・配信応答５２を送信する。電子メール・配信応答５２は、インターネット１０５を介して電子広告配信中央局１０１にメール配信される。
【００３６】
該当する電子広告端末局１０３は、インターネット１０５を介して電子広告配信中央局１０１の中央局ホームページから参照５３を行い、予め定められた自局の電子広告データ取込み５４を行う。電子広告データ取込み５４は、インターネット１０５を介してダウンロードされ該当する電子広告端末局１０３に新たな電子広告データが収容される。
【００３７】
電子広告データ取込み５４を正常に終えた電子広告端末局１０３は、電子広告配信中央局１０１に対して電子メール・取込完了５５を送信する。電子メール・取込完了５５は、インターネット１０５を介して電子広告配信中央局１０１にメール配信される。
【００３８】
電子メール・取込完了５５を受信した電子広告配信中央局１０１は、該当する電子広告端末局１０３への配信を完了したことを確認し、該当する電子広告端末局１０３への電子広告データ配信の完了を確認し、該当する電子広告端末局１０３への電子広告データを登録完了とする。
【００３９】
図３は、電子広告端末局１０３の大型映像表示器３２に臨時ニュース、気象警報などの速報データを配信する例である。
【００４０】
電子広告配信中央局１０１は、外部のニュース配信会社などから入手した臨時ニュース、気象警報などの速報データについて、該当する電子広告端末局１０３に対して速報データを含む電子メール・速報通知６１を送信する。電子メール・速報通知６１は、インターネット１０５を介して該当する電子広告端末局１０３にメール配信される。
【００４１】
電子メール・速報通知６１を受信した該当する電子広告端末局１０３は、そのメール内に含まれる速報データを確認し、大型映像表示装置３２に速報ニュースとして表示する。
【００４２】
速報データの表示を終えた電子広告端末局１０３は、電子広告配信中央局１０１に対して電子メール・速報完了６２を送信する。電子メール・速報完了６２は、インターネット１０５を介して電子広告配信中央局１０１にメール配信される。
【００４３】
電子メール・速報完了６２を受信した電子広告配信中央局１０１は、該当する電子広告端末局１０３への電子メール・速報通知６１の完了を確認し、該当する電子広告端末局１０３への速報データを配信完了とする。
【００４４】
図４は、複数設置された電子広告端末局に対して、電子広告配信中央局から各々に広告時間と広告回数を指示し、広告結果を報告することで広告主との契約に応じて課金の調整を行う例である。
【００４５】
電子広告配信中央局１０１は、広告主との契約条件に沿って、該当する電子広告端末局１０３に対して広告時間、広告回数などを含む電子メール・広告指示７１を送信する。電子メール・広告指示７１は、インターネット１０５を介して該当する電子広告端末局１０３にメール配信される。
【００４６】
電子メール・広告指示７１を受信した該当する電子広告端末局１０３は、そのメール内に含まれる広告時間・広告回数などの指示データを確認し、電子広告配信中央局１０１に対して電子メール・広告応答７２を送信する。電子メール・広告応答７２は、インターネット１０５を介して電子広告配信中央局１０１にメール配信される。
【００４７】
指示データの広告を実施完了した電子広告端末局１０３は、電子広告配信中央局１０１に対して広告時間、広告回数を含む電子メール・広告完了７３を送信する。電子メール・広告完了７３は、インターネット１０５を介して電子広告配信中央局１０１にメール配信される。
【００４８】
電子メール・広告完了７３を受信した電子広告配信中央局１０１は、該当する電子広告端末局１０３への電子メール・広告指示７１の実施結果を確認し、該当する電子広告端末局１０３への指示データを配信完了とし、電子メール・完了応答７４を電子広告端末局１０３に送信する。
【００４９】
電子広告配信中央局１０１は、電子メール・広告指示７１の指示データと電子メール・広告完了７３の広告時間・広告回数により広告主との契約に応じて課金の調整を行うことが出来る。
【００５０】
図５は、移動車両電子広告端末局内の乗客が無線ＬＡＮを介してインターネット接続する構成例である。
【００５１】
移動車両電子広告端末局１０４の電子広告端末４１が備えられた車両にて、乗客が車内無線ＬＡＮ４３を用いてインターネットのホームページなどを参照する場合、乗客の無線ＬＡＮ端末からインターネット接続８１を行うと、電子広告端末４１を介してインターネット１０５に接続し、ホームページなどのインターネットデータ８２を得ることが出来る。
【００５２】
無線ＬＡＮを介してインターネット接続することは、図１の各々の電子広告端末１０３においても同様に接続することが出来る。
【００５３】
この無線ＬＡＮを介してのインターネット接続については、広告主の広告ホームページを介しての接続許可を与えるなどの方法で、インターネットへのアクセス制限を行うことが出来る。
【００５４】
図６は、移動車両電子広告端末局内の位置情報による地域広告の実施例である。
【００５５】
移動車両電子広告端末局１０４の電子広告端末４１が、衛星を利用した位置情報端末であるＧＰＳ（位置情報）４５や携帯端末回線４４の端末位置情報の提供を得るなどして、移動中の位置情報を得ることで、電子広告配信中央局１０１に対して電子メール・位置情報９１を送信する。電子メール・位置情報９１は、インターネット１０５を介して電子広告配信中央局１０１にメール配信される。
【００５６】
電子メール・位置情報９１を受信した電子広告配信中央局１０１は、その周辺地区で電子広告の契約を行っている広告主の広告を行うため、図４の電子広告の時間・回数指示の配信方法例に従い、電子広告の指示を行う。
【００５７】
電子広告配信中央局１０１は、広告主との契約条件に沿って、該当する移動車両電子広告端末局１０４に対して広告時間、広告回数などを含む電子メール・広告指示７１を送信する。電子メール・広告指示７１は、インターネット１０５を介して該当する移動車両電子広告端末局１０４にメール配信される。
【００５８】
電子メール・広告指示７１を受信した該当する移動車両電子広告端末局１０４は、そのメール内に含まれる広告時間・広告回数などの指示データを確認し、電子広告配信中央局１０１に対して電子メール・広告応答７２を送信する。電子メール・広告応答７２は、インターネット１０５を介して電子広告配信中央局１０１にメール配信される。
【００５９】
指示データの広告を実施完了した移動車両電子広告端末局１０４は、電子広告配信中央局１０１に対して広告時間、広告回数を含む電子メール・広告完了７３を送信する。電子メール・広告完了７３は、インターネット１０５を介して電子広告配信中央局１０１にメール配信される。
【００６０】
電子メール・広告完了７３を受信した電子広告配信中央局１０１は、該当する移動車両電子広告端末局１０４への電子メール・広告指示７１の実施結果を確認し、該当する移動車両電子広告端末局１０４への指示データを配信完了とする。
【００６１】
電子広告配信中央局１０１は、電子メール・広告指示７１の指示データと電子メール・広告完了７３の広告時間・広告回数により広告主との契約に応じて課金の調整を行うことが出来る。
【００６２】
図７は、電子広告端末局内の画像収集カメラによるセキュリティの実施例である。
【００６３】
移動車両電子広告端末局１０４の電子広告端末４１に接続された多機能カメラ４６は、一定以上の大きな音、移動車両の運転手、乗客などの非常釦４７の押下などにより画像を収集しカメラ内に記録、インターネット送信するため暗号化を実施しメール送信するデータを準備する。
【００６４】
暗号化された画像情報を電子広告配信中央局１０１に対して電子メール・画像通知９２を送信する。電子メール・画像通知９２は、インターネット１０５を介して電子広告配信中央局１０１にメール配信される。
【００６５】
電子メール・画像情報９２を受信した電子広告配信中央局１０１は、暗号化された画像情報を復号し、内容を確認した上で、移動車両電子広告端末局１０４に対して電子メール・画像応答９３を送信する。電子メール・画像応答９３は、インターネット１０５を介して移動車両電子広告端末局１０４にメール配信される。
【００６６】
電子メール・画像応答９３を受信した移動車両電子広告端末局１０４は、電子メール・画像通知９２の通知を完了とする。
【００６７】
以上説明したように、本実施形態の電子広告配信システムによれば、データの送受信を電子メールにて行い、インターネットアクセスサービスの定額制データ通信手段を使用することを可能とすることで、電子広告端末数による通信費増大を抑え、広告収入による多目的な情報配信と情報収集を行うことが可能となる。
【符号の説明】
【００６８】
１００：電子広告配信システム
１０１：電子広告配信中央局
１０２：広告主端末
１０３：電子広告端末局
１０４：移動車両電子広告端末局
１１：電子広告配信サーバ
１２：電子広告蓄積サーバ
１３：電子広告配信端末
１４：アクセスルータ
１５：デジタル回線（ＡＤＬＳ，光）
２１：電子広告データ
２２：電子広告登録端末
２３：アクセスルータ
２４：デジタル回線（ＡＤＳＬ、光）
３１：電子広告端末
３２：大型映像表示器
３３：無線ＬＡＮ
３４：携帯端末回線
３５：デジタル回線（ＡＤＳＬ、光）
４１：電子広告端末
４２：車内映像表示器
４３：車内無線ＬＡＮ
４４：携帯端末回線
４５：ＧＰＳ（位置情報）
４６：多機能カメラ
４７：非常釦
【図１】
2011154625.tif 000003
【図２】
2011154625.tif 000004
【図３】
2011154625.tif 000005
【図４】
2011154625.tif 000006
【図５】
2011154625.tif 000007
【図６】
2011154625.tif 000008
【図７】
2011154625.tif 000009